(57)【要約】【課題】光漏れの防止とコストダウンを図ることができるプッシュ式スイッチを提供すること。【解決手段】前面が表示面５ａを形成する操作ボタン３をスイッチケースに形成された収納部に操作方向に沿って摺動可能に収納し、前記スイッチケースの収納部の背面側に配置された光源からの光を前記操作ボタン３内を通して該操作ボタン３の表示面５ａを背面側から照明するよう構成されたプッシュ式スイッチにおいて、前記操作ボタン３を前記スイッチケースの収納部に摺動可能に保持された不透明部材から成るスライダ４と、該スライダ４の前面部に被冠される透明部材から成る操作ノブ５とを組付一体化して構成するとともに、前記スライダ４に前記操作ノブ５から背面側への光の漏れを遮断する遮光リブ４ｃ，４ｄを形成する。【選択図】図３
2010272331.tif 000002
【特許請求の範囲】
【請求項１】
前面が表示面を形成する操作ボタンをスイッチケースに形成された収納部に操作方向に沿って摺動可能に収納し、前記スイッチケースの収納部の背面側に配置された光源からの光を前記操作ボタン内を通して該操作ボタン前面の表示面を背面側から透過照明するよう構成されたプッシュ式スイッチにおいて、
前記操作ボタンを前記スイッチケースの収納部に摺動可能に保持された不透明部材から成るスライダと、該スライダの前面部に被冠される透明部材から成る操作ノブとを組付一体化して構成するとともに、前記スライダに前記操作ノブから背面側への光の漏れを遮断する遮光リブを形成したことを特徴とするプッシュ式スイッチ。
【請求項２】
前記操作ノブの表面の表示部を除く部位に遮光性塗料を塗布したことを特徴とする請求項１記載のプッシュ式スイッチ。
【請求項３】
前記遮光リブは、前記操作ノブの背面に形成された肉抜き空間を背面側から覆うよう前記スライダに一体に形成されていることを特徴とする請求項１又は２記載のプッシュ式スイッチ。
【発明の詳細な説明】
【技術分野】
【０００１】
本発明は、操作ボタン前面の表示面を夜間等に背面側から透過照明するよう構成されたプッシュ式スイッチに関するものである。
【背景技術】
【０００２】
車載用オーディオコントロールパネル等には例えばモード切替用のプッシュ式スイッチが設けられているが、このプッシュ式スイッチは、前面が表示面を形成する操作ボタンと、該操作ボタンを操作方向に沿って摺動可能に収納保持するスイッチケースとで構成されており、夜間等においてはスイッチケースの背面側に配置された光源から光が操作ボタン内を通して該操作ボタン前面の表示面に照射されて該表示面が背面側から透過照明されるようになっている（例えば、特許文献１，２参照）。
【０００３】
ところで、斯かるプッシュ式スイッチの操作ボタン１０１は、例えば図１０の断面図に示すように透明樹脂１０２と不透明樹脂１０３の２色成型によって構成し、前面が表示面を形成する透明樹脂１０２の表示面を除く周囲を不透明樹脂１０３によって覆うことによって透明樹脂１０２の表示面以外の部位からの光漏れを防ぐようにしていた。
【０００４】
上述のように操作ボタン１０１を２色成型し、透明樹脂１０２の表示面を除く周囲を不透明樹脂１０３によって覆う構成を採用すれば、表示面を除く周囲からの光漏れは防がれるが、２色成型にはコストアップを伴うという問題がある。
【０００５】
そこで、図１１の平断面図に示すように、操作ボタン２０１をスイッチケースの収納部に摺動可能に保持された不透明部材から成る不図示のスライダと、該スライダの前面部に被冠される透明部材から成る操作ノブ２０２とを組付一体化して構成するとともに、操作ノブ２０２の表面の表示部（例えば「ＦＭ／ＡＭ」等の文字部）を除く部位に遮光性塗料を塗布する構成が考えられる。
【先行技術文献】
【特許文献】
【０００６】
【特許文献１】特開２００８−３０５７６６号公報
【特許文献２】特開２００７−１４９６１１号公報
【発明の概要】
【発明が解決しようとする課題】
【０００７】
ところが、図１１に示すようなスライダとその前面部に被冠される操作ノブ２０２とを組付一体化して成る操作ボタン２０１にあっては、操作ノブ２０２の背面の幅方向両端に肉抜き空間Ｓ２，Ｓ３が形成され、これらの肉抜き空間Ｓ２，Ｓ３はスライダの両側面から外側に突出するとともに、その後面が背面側に向かって開口しているため、ＬＥＤ等の不図示の光源からスライダ内を通過して操作ノブ２０２の背面へと照射される光が操作ノブ２０２内を図に矢印にて示す経路を経て肉抜き空間Ｓ２，Ｓ３から漏れ、操作ノブ２０２の周囲が光るために表示部の視認性が低下する等の問題が発生する。
【０００８】
本発明は上記問題に鑑みてなされたもので、その目的とする処は、光漏れの防止とコストダウンを図ることができるプッシュ式スイッチを提供することにある。
【課題を解決するための手段】
【０００９】
上記目的を達成するため、請求項１記載の発明は、前面が表示面を形成する操作ボタンをスイッチケースに形成された収納部に操作方向に沿って摺動可能に収納し、前記スイッチケースの収納部の背面側に配置された光源からの光を前記操作ボタン内を通して該操作ボタン前面の表示面を背面側から照明するよう構成されたプッシュ式スイッチにおいて、前記操作ボタンを前記スイッチケースの収納部に摺動可能に保持された不透明部材から成るスライダと、該スライダの前面部に被冠される透明部材から成る操作ノブとを組付一体化して構成するとともに、前記スライダに前記操作ノブから背面側への光の漏れを遮断する遮光リブを形成したことを特徴とする。
【００１０】
請求項２記載の発明は、請求項１記載の発明において、前記操作ノブの表面の表示部を除く部位に遮光性塗料を塗布したことを特徴とする。
【００１１】
請求項３記載の発明は、請求項１又は２記載の発明において、前記遮光リブは、前記操作ノブの背面に形成された肉抜き空間を背面側から覆うよう前記スライダに一体に形成されていることを特徴とする。
【発明の効果】
【００１２】
本発明によれば、不透明部材から成るスライダと透明部材から成る操作ノブとを組付一体化して操作ボタンを構成したため、従来の２色成型に比して金型費や材料費を低く抑えてコストダウンを図ることができる。
【００１３】
又、操作ノブの背面に形成された肉抜き空間を背面側から覆う遮光リブを不透明なスライダに形成したため、肉抜き空間からの光漏れが遮光リブによって確実に防がれ、操作ノブ前面の表示部の視認性が高められる。
【図面の簡単な説明】
【００１４】
【図１】本発明に係るプッシュ式スイッチの分解斜視図である。
【図２】本発明に係るプッシュ式スイッチの操作ボタンの正面図である。
【図３】図２のＡ−Ａ線断面図である。
【図４】操作ボタンのスライダの正面図である。
【図５】図４のＢ−Ｂ線断面図である。
【図６】操作ボタンのスライダの平面図である。
【図７】操作ボタンのスライダの底面図である。
【図８】操作ボタンのスライダの右側面図である。
【図９】操作ボタンのスライダの左側面図である。
【図１０】従来のプッシュスイッチの操作ボタンの側断面図である。
【図１１】従来のプッシュスイッチの操作ボタンの平断面図である。
【発明を実施するための形態】
【００１５】
以下に本発明の実施の形態を添付図面に基づいて説明する。
【００１６】
図１は本発明に係るプッシュ式スイッチの分解斜視図、図２は同プッシュ式スイッチの操作ボタンの正面図、図３は図２のＡ−Ａ線断面図、図４は操作ボタンのスライダの正面図、図５は図４のＢ−Ｂ線断面図、図６は同スライダの平面図、図７は同スライダの底面図、図８は同スライダの右側面図、図９は同スライダの左側面図である。
【００１７】
本実施の形態に係るプッシュ式スイッチ１は、不図示の車載用オーディオコントロールパネルに設けられるものであって、図１に示すように、樹脂にて一体成型されたスイッチケース２と、該スイッチケース２に形成された矩形孔状の収納部２Ａ内に操作方向（図示矢印ａ−ａ’方向）に摺動可能に嵌合保持された樹脂製の操作ボタン３とで構成されており、スイッチケース２の収納部２Ａの背面側には光源である不図示のＬＥＤが配置されている。
【００１８】
上記スイッチケース２は車室内の不図示のインストルメントパネルに取り付けられており、これに形成された矩形孔状の前記収納部２Ａの底面の左端部近傍には矩形凹状のガイド溝２ａが操作ボタン３の摺動方向（矢印ａ−ａ’方向）に沿って形成され、底面の幅方向中央部の前端から所定距離だけ奥まった箇所には幅方向に延びるリブ状の係合突起２ｂが一体に形成されている。又、収納部２Ａの上面の右端部近傍には矩形凹状のガイド溝２ｃが操作ボタン３の摺動方向に沿って形成され、図示しないが、上面の幅方向中央部の前端から所定距離だけ奥まった箇所には幅方向に延びるリブ状の係合突起２ｂが一体に形成されている。そして、スイッチケース２の収納部２Ａの左側面の上部と右側面の下部には、操作ボタン３の摺動方向（前後方向）に沿って延びる矩形凹状のガイド溝２ｄ，２ｅがそれぞれ形成されている。
【００１９】
他方、前記操作ボタン３は、スイッチケース２の収納部２Ａに摺動可能に嵌合保持されるスライダ４と、該スライダ４の前面部に被冠される操作ノブ５とを組付一体化して構成されており、スライダ４は光を透過しない不透明樹脂によって構成され、操作ノブ５は光を透過する透明樹脂によって構成されている。
【００２０】
上記操作ノブ５は、白色の透明樹脂による単色成型によってキャップ状に一体成型され、図２に示すように、正面視平行四辺形の前面は表示面５ａを形成しており、この表示面５ａの中央にはＦＭ放送とＡＭ放送への切り替えを意味する「ＦＭ／ＡＭ」の英文字が表示されている。この「ＦＭ／ＡＭ」の表示は、操作ノブ５の「ＦＭ／ＡＭ」の英文字（表示部）を除く部位に黒色の遮光性塗料を塗布することによってなされており、従って、遮光性塗料が塗布されていない「ＦＭ／ＡＭ」の英文字（表示部）は不図示のＬＥＤからの光を透過する。
【００２１】
又、図２に示すように、操作ノブ５の後端部周縁の右側縁を除く部分、つまり、上縁部と下縁部及び左側縁にはフランジ部５ｂ，５ｃ，５ｄがそれぞれ形成されており、その内部の幅方向中央には、図３に示すように、上下方向（図３の紙面垂直方向）に延びる２つの隔壁５ｅ，５ｆによって矩形の嵌合空間Ｓ１が形成され、その左右両側には軽量化のための肉抜き空間Ｓ２，Ｓ３が形成されている。そして、図１に示すように、操作ノブ５の上下面の幅方向中央には矩形の係合孔５ｇ（図１には上面に形成されたもののみが図示されている）。
【００２２】
他方、図４〜図９に示すように、前記スライダ４は白色の不透明樹脂による単色成型によって矩形筒状に一体成型されており、その前側寄り（図６の下側寄り）の外周の上下にはフランジ部４ａ，４ｂがそれぞれ形成され、左右には、前記操作ノブ５を図３に示すように嵌め込んだ状態で該操作ノブ５の左右の肉抜き空間Ｓ２，Ｓ３を後方から覆う遮光リブ４ｃ，４ｄがそれぞれ一体に形成されている。
【００２３】
スライダ４の外周に形成された上記フランジ部４ａ，４ｂと遮光リブ４ｃ，４ｄを挟んでこれの前側の部分は嵌合部４Ａを形成し、後側の部分はスライド部４Ｂを形成している。そして、このスライダ４の嵌合部４Ａの上下面の幅方向中央（操作ノブ５の上下面に形成された係合孔５ｇに対応する箇所）には図６及び図７に示すように係合突起４ｅがそれぞれ突設されている。
【００２４】
又、図６、図８及び図９に示すように、スライダ４のスライド部４Ｂの上面の右端近傍（図１に示すスイッチケース２の収納部２Ａの上面に形成された前記ガイド溝２ｃに対応する部分）には矩形凸状のガイド突起４ｆが操作ボタン３の摺動方向（前後方向）に沿って突設され、図５及び図６に示すように、スライド部４Ｂの上面の幅方向中央（スイッチケース２の収納部２Ａの上面に形成された前記係合突起２ｂ（不図示）に対応する部分）には上下に撓み変形可能なバネ状の係合爪４ｇが形成されている。
【００２５】
同様に、図７〜図９に示すように、スライダ４のスライド部４Ｂの下面の左端近傍（図１に示すスイッチケース２の収納部２Ａの下面に形成された前記ガイド溝２ａに対応する部分）には矩形凸状のガイド突起４ｈが操作ボタン３の摺動方向（前後方向）に沿って突設され、図５及び図７に示すように、スライド部４Ｂの下面の幅方向中央（スイッチケース２の収納部２Ａの下面に形成された前記係合突起２ｂに対応する部分）には上下に撓み変形可能なバネ状の係合爪４ｉが形成されている。
【００２６】
又、図６〜図９に示すように、スライダ４のスライド部４Ｂの右側面の下端近傍（図１に示すスイッチケース２の収納部２Ａの右側面に形成されたガイド溝２ｅに対応する部分）と同スライド部４Ｂの左側面の上端近傍（図１に示すスイッチケース２の収納部２Ａの左側面に形成されたガイド溝２ｄに対応する部分）にはガイド突起４ｊ，４ｋが操作ボタン３の摺動方向（前後方向）に沿ってそれぞれ突設されている。
【００２７】
而して、操作ボタン３は、図３に示すように、操作ノブ５の内部に形成された前記嵌合空間Ｓ１をスライダ４の前側に形成された前記嵌合部４Ａの外周に前側から嵌め込むことによって組み付けられ、操作ノブ５の上下面に形成された係合孔５ｇにスライダ４の嵌合部４Ａの上下面に突設された係合突起４ｅが係合することによって両者が係止され、操作ノブ５のスライダ４からの抜けが防がれる。
【００２８】
そして、以上のように組み付けられた操作ボタン３は、スライダ４を先にして図１に示すスイッチケース２に形成された収納部２Ａにスライダ４のスライド部４Ｂを前方から嵌め込んで押し込むことによってスイッチケース２に摺動可能に嵌合保持される。このとき、スライダ４のスライド部４Ｂの上下面と左右の側面に形成されたガイド突起４ｆ，４ｈ，４ｊ，４ｋがスイッチケース２の収納部２Ａの上下面と左右の側面に形成されたガイド溝２ｃ，２ａ，２ｅ，２ｄにそれぞれ嵌合し、スライダ４のスライド部４Ｂの上下面に形成された係合爪４ｇ，４ｉがスイッチケース２の収納部２Ａ２ｂの上下面に形成された係合突起を乗り越えて該係合突起２ｂにそれぞれ係合する。これによって操作ボタン３はガイド溝２ａ，２ｃ，２ｄ，２ｅに沿って前後方向（図１の矢印ａ−ａ’方向）に沿って所定量だけ摺動可能であるとともに、上下の係合爪４ｇ，４ｉの係合突起２ｂへの係合によってスイッチケース２からの脱落が防がれる。尚、操作ボタン３はスプリング等の不図示の付勢手段によって常時前方に付勢されており、その操作ノブ５はスイッチケース２から前方へと突出して車室内に露出している。
【００２９】
従って、乗員が操作ボタン３の操作ノブ５を押すことによって不図示のスイッチ素子が動作してＦＭ放送とＡＭ放送の切り替えがなされるが、夜間等においてヘッドライトを点灯すると、この動作に連動して不図示のＬＥＤに通電されて該ＬＥＤが発光する。そして、このＬＥＤの光は、図３に矢印にて示すように、操作ボタン３内を通過して操作ノブ５の前面の表示面５ａに表示された「ＦＭ／ＡＭ」の英文字（表示部）を透過するため、この「ＦＭ／ＡＭ」の英文字（表示部）が照明される。このため乗員は夜間等の暗い車室内においても操作ノブ５の「ＦＭ／ＡＭ」の英文字を視認することができ、必要に応じて操作ボタン３の操作ノブ５を押してＦＭ放送とＡＭ放送の切り替えを容易に行うことができる。
【００３０】
而して、本実施の形態では、図３に示すように操作ノブ５の背面に形成された肉抜き空間Ｓ２，Ｓ３を背面側から覆う遮光リブ４ｃ，４ｄを不透明なスライダ４に形成したため、肉抜き空間Ｓ２，Ｓ３からの光漏れが遮光リブ４ｃ，４ｄによって確実に防がれ、操作ノブ５の表示面５ａに表示された「ＦＭ／ＡＭ」の英文字（表示部）の視認性が高められる。
【００３１】
又、本実施の形態では、不透明樹脂の単色成型によって得られたスライダ４と透明樹脂の単色成型によって得られた操作ノブ５とを組付一体化して操作ボタン３を構成したため、従来の２色成型に比して金型費や材料費を低く抑えてコストダウンを図ることができるという効果も得られる。
【００３２】
尚、以上の実施の形態では、本発明を特に車載用オーディオコントロールパネルに設けられるプッシュ式スイッチに対して適用した形態について説明したが、本発明は、車載用エアコンコントロールパネル等、他の任地の操作パネル等に設けられるプッシュ式スイッチに対しても同様に適用可能であることは勿論である。
【符号の説明】
【００３３】
１          プッシュ式スイッチ
２          スイッチケース
２Ａ        スイッチケースの収納部
２ａ        スイッチケースのガイド溝
２ｂ        スイッチケースの係合突起
２ｃ〜２ｅ  スイッチケースのガイド溝
３          操作ボタン
４          スライダ
４Ａ        スライダの嵌合部
４Ｂ        スライダのスライド部
４ａ，４ｂ  スライダのフランジ部
４ｃ，４ｄ  スライダの遮光リブ
４ｅ        スライダの係合突起
４ｆ        スライダのガイド突起
４ｇ        スライダの係合爪
４ｈ        スライダのガイド突起
４ｉ        スライダの係合爪
４ｊ，４ｋ  スライダのガイド突起
５          操作ノブ
５ａ        操作ノブの表示面
５ｂ〜５ｄ  操作ノブフランジ部
５ｅ，５ｆ  操作ノブの隔壁
５ｇ        操作ノブの係合孔
Ｓ１        操作ノブの嵌合空間
Ｓ２，Ｓ３  操作ノブの肉抜き空間
【図１】
2010272331.tif 000003
【図２】
2010272331.tif 000004
【図３】
2010272331.tif 000005
【図４】
2010272331.tif 000006
【図５】
2010272331.tif 000007
【図６】
2010272331.tif 000008
【図７】
2010272331.tif 000009
【図８】
2010272331.tif 000010
【図９】
2010272331.tif 000011
【図１０】
2010272331.tif 000012
【図１１】
2010272331.tif 000013